(57)【要約】【課題】利用者が意図する入力切替を適切に行う。【解決手段】セットトップボックス１０は、モニター２０に対して、所定パターンの映像及び音声の信号を送信する。更に、セットトップボックス１０は、モニター２０の再生状態が、これら所定パターンの映像及び音声の信号に応じた映像及び音声の再生状態になるまで、モニター２０における現在の入力元を次の入力元に切り替えるための入力切替制御信号を発生させる制御を行う。【選択図】図１
2011250269.tif 000002
【特許請求の範囲】
【請求項１】
映像を映像再生装置に再生させるための処理を行う再生制御装置であって、
前記映像再生装置の入力切替のための入力切替制御信号を発生する制御信号発生部と、
前記映像再生装置に対して、所定パターンの映像又は音声の信号を送信する送信部と、
前記映像再生装置における再生状態を検出する検出部と、
前記検出部により検出された前記再生状態に基づいて、前記制御信号発生部を制御する制御部と
を備える再生制御装置。
【請求項２】
前記制御信号発生部は、外部から前記映像再生装置の入力切替の要求を示す要求情報を取得した場合に、前記入力切替制御信号を発生する請求項１に記載の再生制御装置。
【請求項３】
前記制御信号発生部は、前記再生制御装置の電源がオンになった場合に、前記入力切替制御信号を発生する請求項１又は２に記載の再生制御装置。
【請求項４】
前記制御信号発生部は、前記検出部により検出された前記再生状態が、前記所定パターンの映像又は音声の信号に基づく再生状態になるまで、前記制御信号発生部が前記入力切替制御信号を発生するように制御を行う請求項１乃至３の何れかに記載の再生制御装置。
【請求項５】
前記所定パターンの音声の信号は、可聴範囲外の音声の信号である請求項１乃至４の何れかに記載の再生制御装置。
【請求項６】
テレビジョン信号を受信するセットトップボックスと、前記セットトップボックスからのテレビジョン信号を再生するモニター装置からなるテレビジョン信号再生システムにおいて、
前記セットトップボックスは、
前記モニター装置の信号入力を切り替えるための信号を送出する信号送出部と、
前記モニター装置に所定の映像パターン又は音声の信号を再生させるための信号発生部と、
前記モニター装置の前記所定の映像パターン又は音声の信号の再生状態を検出するための検出部と
を備え、
前記検出部において前記所定の映像パターンまたは音声の信号の再生が検出されるまで、前記信号送出部を制御して前記モニター装置の信号入力の切り替えを行うようにして、前記セットトップボックスからのテレビジョン信号が前記モニター装置において自動的に再生できるようにしたことを特徴とするテレビジョン信号再生システム。
【発明の詳細な説明】
【技術分野】
【０００１】
本発明は、映像を映像再生装置に再生させるための処理を行う再生制御装置、及び、テレビジョン信号再生システムに関する。
【背景技術】
【０００２】
テレビジョン受像機は、一般に複数の入力ポートを備えている。各入力端子には、例えば、録画装置等の各種の機器を接続可能である。テレビジョン受像機は、利用者による入力切替の操作に応じて、何れかの機器を入力元として選択し、当該機器から入力端子を介して映像信号や音声信号を取得する入力切替を行い、映像信号や音声信号に基づく再生を行う（例えば、特許文献１参照）。
【先行技術文献】
【特許文献】
【０００３】
【特許文献１】特開平８−３２１９９７号公報
【発明の概要】
【発明が解決しようとする課題】
【０００４】
ところで、近年、デジタル放送の開始に伴い、セットトップボックスと称される機器が普及しつつある。このようなセットトップボックスは、デジタル放送信号としての映像信号や音声信号を外部のモニターへ出力する。これにより、利用者は、デジタル放送を視聴することができる。この場合、利用者は、セットトップボックスに対する操作を行うことにより、セットトップボックスを介して、モニターに入力切替を行わせることになる。
【０００５】
しかしながら、何らかの障害によって、セットトップボックスからモニターへ入力切替のための制御信号が到達しなかった場合、利用者が意図する入力切替と、モニターにおける入力切替とが一致しないという問題が生じる。
【０００６】
そこで、本発明は、利用者が意図する入力切替を適切に行うことを可能とした再生制御装置、及び、テレビジョン信号再生システムを提供することを目的とする。
【課題を解決するための手段】
【０００７】
上述した課題を解決するために、本発明は以下のような特徴を有している。まず、本発明の第１の特徴は、映像を映像再生装置（モニター２０）に再生させるための処理を行う再生制御装置（セットトップボックス１０）であって、前記映像再生装置の入力切替のための入力切替制御信号を発生する制御信号発生部（発光制御部１５２、赤外線発光部１１２）と、前記映像再生装置に対して、所定パターンの映像又は音声の信号を送信する送信部（映像音声送信制御部１６０、ＤＡＣ１１８）と、前記映像再生装置における再生状態を検出する検出部（カメラ・マイク１２２）と、前記検出部により検出された前記再生状態に基づいて、前記制御信号発生部を制御する制御部（制御信号発生制御部１６０）とを備えることを要旨とする。
【０００８】
このような再生制御装置は、映像再生装置に対して、所定パターンの映像又は音声の信号を送信し、映像再生装置における、これら所定パターンの映像又は音声の信号に応じた再生状態により、映像再生装置の入力切替のための入力切替制御信号の発生を制御する。従って、所定パターンの映像又は音声の信号に応じた再生状態を考慮して、映像再生装置における入力切替が利用者の意図と一致するように制御を行うことができる。
【０００９】
本発明の第２の特徴は、前記制御信号発生部は、外部から前記映像再生装置の入力切替の要求を示す要求情報を取得した場合に、前記入力切替制御信号を発生する。
【００１０】
本発明の第３の特徴は、前記制御信号発生部は、前記再生制御装置の電源がオンになった場合に、前記入力切替制御信号を発生することを要旨とする。
【００１１】
本発明の第４の特徴は、前記制御信号発生部は、前記検出部により検出された前記再生状態が、前記所定パターンの映像又は音声の信号に基づく再生状態になるまで、前記制御信号発生部が前記入力切替制御信号を発生するように制御を行うことを要旨とする。
【００１２】
本発明の第５の特徴は、前記所定パターンの音声の信号は、可聴範囲外の音声の信号であることを要旨とする。
【００１３】
本発明の第６の特徴は、テレビジョン信号を受信するセットトップボックス（セットトップボックス１０）と、前記セットトップボックスからのテレビジョン信号を再生するモニター装置（モニター２０）からなるテレビジョン信号再生システムにおいて、前記セットトップボックスは、前記モニター装置の信号入力を切り替えるための信号を送出する信号送出部（発光制御部１５２、赤外線発光部１１２）と、前記モニター装置に所定の映像パターン又は音声の信号を再生させるための信号発生部（映像音声送信制御部１６０、ＤＡＣ１１８）と、前記モニター装置の前記所定の映像パターン又は音声の信号の再生状態を検出するための検出部（カメラ・マイク１２２）とを備え、前記検出部において前記所定の映像パターンまたは音声の信号の再生が検出されるまで、前記信号送出部を制御して前記モニター装置の信号入力の切り替えを行うようにして、前記セットトップボックスからのテレビジョン信号が前記モニター装置において自動的に再生できるようにしたことを要旨とする。
【発明の効果】
【００１４】
本発明によれば、利用者が意図する入力切替を適切に行うことが可能となる。
【図面の簡単な説明】
【００１５】
【図１】本発明の実施形態に係るセットトップボックスの構成図である。
【図２】本発明の実施形態に係るセットトップボックスの第１の動作を示すフローチャートである。
【図３】本発明の実施形態に係るセットトップボックスの第２の動作を示すフローチャートである。
【図４】本発明の実施形態に係るセットトップボックスの第３の動作を示すフローチャートである。
【発明を実施するための形態】
【００１６】
次に、図面を参照して、本発明の実施形態を説明する。具体的には、（１）セットトップボックスの構成、（２）セットトップボックスの動作、（３）作用・効果について説明する。
【００１７】
（１）セットトップボックスの構成
図１は、本発明の実施形態に係るセットトップボックスの構成図である。
【００１８】
図１に示す、再生制御装置としてのセットトップボックス１０は、モニター２０とともにテレビジョン信号再生システムを構成する。セットトップボックス１０は、デジタル放送を受信するものである。ここで、デジタル放送は、地上デジタル放送、ＢＳデジタル放送、ＣＳデジタル放送等である。
【００１９】
セットトップボックス１０は、制御部１０２、コンセント１０３、電源モジュール１０４、メモリ１０６、アンテナ１０８、チューナ１１０、リモコン受光部１１１、赤外線発光部１１２、電力検出部１１４、メモリ１１５、表示部１１６、ＲＡＭ１１７、デジタル／アナログコンバータ（ＤＡＣ：Digital to Analog Converter）１１８、カメラ・マイク１２２、ＲＡＭ１２４を含む。このセットトップボックス１０は、モニター２０における映像の再生を制御する。
【００２０】
図１において、セットトップボックス１０は、映像信号線２０２及び音声信号線２０４を介してモニター２０に接続されているが、モニター２０には、セットトップボックス１０以外にも、映像信号や音声信号をモニター２０へ送信する他の機器（図示せず）が接続されている。モニター２０は、入力切替の制御によって、セットトップボックス１０及び他の機器の何れか１つからの映像信号や音声信号に基づく再生を行う。
【００２１】
制御部１０２は、例えばＣＰＵ（Central Processing Unit）やＤＳＰ（Digital Signal Processor）によって構成され、セットトップボックス１０が具備する各種機能を制御する。制御部１０２は、発光制御部１５２、動作制御部１５４、閾値設定部１５６、映像音声送信制御部１５８及び制御信号発生制御部１６０を含む。
【００２２】
電源モジュール１０４は、コンセント１０３を介して供給される商用電力をセットトップボックス１０内の各部に供給する。なお、コンセント１０３を介して供給される商用電力は、電力検出部１１４及び電源ライン２００を介して、モニター２０にも供給可能である。
【００２３】
メモリ１０６は、例えば、ＤＤＲ−ＳＲＡＭであり、セットトップボックス１０が具備する各種機能を実現するために必要な情報を記憶している。
【００２４】
アンテナ１０８は、デジタル放送信号を受信する。このデジタル放送信号には、音声データと、映像データと、チャンネル番号、放送局名、番組表等の各種制御データとが含まれている。
【００２５】
チューナ１１０は、図示しないＲＦ部及びＯＦＤＭ復調部を含み、アンテナ１０８によって受信されたデジタル放送信号の復調を行う。更に、チューナ１１０は、復調によって得られた所定のチャンネルの信号を制御部１０２へ出力する。
【００２６】
リモコン受光部１１１は、図示しない外部のリモートコントローラからの操作指示に対応する赤外線の操作信号を受信し、当該操作指示に対応する赤外線の操作信号を制御部１０２へ出力する。
【００２７】
電力検出部１１４は、コンセント１０３と電気的に接続されるとともに、電源ライン２００を介してモニター２０と電気的に接続される。電力検出部１１４は、モニター２０における消費電力を検出する。更に、電力検出部１１４は、モニター２０における消費電力の情報を制御部１０２へ出力する。
【００２８】
制御部１０２内の動作制御部１５４は、リモコン受光部１１１からの操作信号が入力されると、当該操作信号が電源制御のための信号（電源制御信号）であるか否かを判定する。電源制御信号とは、セットトップボックス１０の電源をオンにするための信号と、オフにするための信号である。本実施形態では、電源制御信号は、セットトップボックス１０の現在の電源状態がオフである場合には、オンにするための信号となり、セットトップボックス１０の現在の電源状態がオンである場合には、オフにするための信号となる。また、操作信号には、対応する操作を示す情報が含まれている。動作制御部１５４は、操作を示す情報に基づいて、操作信号が電源制御信号であるか否かを判定できる。なお、セットトップボックス１０の電源がオフとは、当該セットトップボックス１０が、少量の電力である待機電力を消費している状態を意味する。
【００２９】
リモコン受光部１１１からの操作信号が電源制御信号である場合、動作制御部１５４は、セットトップボックス１０の電源がオンであるか否かを判定する。
【００３０】
また、リモコン受光部１１１からの操作信号が電源制御信号であり、且つ、セットトップボックス１０の電源がオンではない場合、すなわち、セットトップボックス１０の電源がオフである場合には、以下の処理が行われる。
【００３１】
すなわち、動作制御部１５４は、電力検出部１１４により検出された、モニター２０における消費電力の情報が入力されると、表示部１１６に、当該消費電力を示す表示を行う。ここで、表示部１１６は、例えばディスプレイであり、利用者がモニター２０の消費電力を視認可能な表示を行う。
【００３２】
また、動作制御部１５４は、モニター２０における消費電力の情報に基づいて、当該モニター２０の電源がオンであるか否かを判定する。
【００３３】
具体的には、制御部１０２は、メモリ１１５に予め記憶されている、モニター２０の電源のオン・オフを判定するための消費電力の閾値を読み出す。
【００３４】
ここで、消費電力の閾値は、閾値設定部１５６により設定され、メモリ１１５に記憶されている。例えば、閾値設定部１５６は、モニター２０の電源がオンであると確定している場合の当該モニター２０の消費電力を電力検出部１１４から取得する。また、閾値設定部１５６は、モニター２０の電源がオフであると確定している場合の当該モニター２０の消費電力を電力検出部１１４から取得する。更に、閾値設定部１５６は、モニター２０の電源がオンであると確定している場合の当該モニター２０の消費電力と、モニター２０の電源がオフであると確定している場合の当該モニター２０の消費電力との間の値（例えば、中間値）を、消費電力の閾値として設定する。
【００３５】
次に、動作制御部１５４は、電力検出部１１４によって検出されたモニター２０における消費電力の情報（検出消費電力情報）と、消費電力の閾値とを比較し、モニター２０の電源がオンであるか否かを判定する。ここで、動作制御部１５４は、検出消費電力情報が消費電力の閾値以上である場合には、モニター２０の電源がオンであると判定し、検出消費電力情報が消費電力の閾値未満である場合には、モニター２０の電源がオフであると判定する。
【００３６】
セットトップボックス１０の電源がオフであり、且つ、モニター２０の電源がオフである場合には、動作制御部１５４は、セットトップボックス１０の電源をオンにする制御を行う。更に、動作制御部１５４は、発光制御部１５２に対して、赤外線発光部１１２に向けて、電源制御信号を出力するように指示する。なお、モニター２０の電源がオフとは、当該モニター２０が、少量の電力である待機電力を消費している状態を意味する。
【００３７】
発光制御部１５２は、動作制御部１５４の指示に応じて、電源制御信号を赤外線発光部１１２に向けて出力する。
【００３８】
赤外線発光部１１２は、モニター２０内の図示しない被制御部に内蔵される赤外線受光部に対向する位置に配置される。赤外線発光部１１２は、電源制御信号が入力されると、電源制御信号を赤外線により送出する。電源がオフであるモニター２０の被制御部は、電源制御信号を受けると、電源をオンにする制御を行う。これにより、セットトップボックス１０の電源とモニター２０の電源とが何れもオンとなる。
【００３９】
一方、セットトップボックス１０の電源がオフであり、且つ、モニター２０の電源がオンである場合には、制御部１０２は、セットトップボックス１０の電源をオンにする制御を行う。これにより、セットトップボックス１０の電源とモニター２０の電源とが何れもオンとなる。
【００４０】
また、リモコン受光部１１１からの操作信号が電源制御信号であり、且つ、セットトップボックス１０の電源がオンである場合には、以下の処理が行われる。
【００４１】
すなわち、動作制御部１５４は、電力検出部１１４により検出された、モニター２０における消費電力の情報が入力されると、表示部１１６に、当該消費電力を示す表示を行う。また、動作制御部１５４は、当該モニター２０における消費電力の情報に基づいて、当該モニター２０の電源がオフであるか否かを判定する。
【００４２】
具体的には、上述と同様、動作制御部１５４は、メモリ１１５に予め記憶されている、モニター２０の電源のオン・オフを判定するための消費電力の閾値を読み出す。次に、動作制御部１５４は、電力検出部１１４によって検出されたモニター２０における消費電力の情報（検出消費電力情報）と、消費電力の閾値とを比較し、モニター２０の電源がオフであるか否かを判定する。
【００４３】
セットトップボックス１０の電源がオンであり、且つ、モニター２０の電源がオンである場合には、動作制御部１５４は、セットトップボックス１０の電源をオフにする制御を行う。更に、動作制御部１５４は、発光制御部１５２に対して、赤外線発光部１１２に向けて、電源制御信号を出力するように指示する。
【００４４】
発光制御部１５２は、動作制御部１５４の指示に応じて、電源制御信号を赤外線発光部１１２に向けて出力する。
【００４５】
赤外線発光部１１２は、電源制御のための操作信号が入力されると、電源制御信号を赤外線により送出する。電源がオンであるモニター２０の被制御部は、は、電源制御信号を受けると、電源をオフにする制御を行う。これにより、セットトップボックス１０の電源とモニター２０の電源とが何れもオフとなる。
【００４６】
一方、セットトップボックス１０の電源がオンであり、且つ、モニター２０の電源がオフである場合には、動作制御部１５４は、セットトップボックス１０の電源をオフにする制御を行う。これにより、セットトップボックス１０の電源とモニター２０の電源とが何れもオフとなる。
【００４７】
また、セットトップボックス１０の電源とモニター２０の電源とが何れもオンである場合には、以下の処理が行われる。
【００４８】
すなわち、映像音声送信制御部１５８は、リモコン受光部１１１からの操作信号が入力されると、当該操作信号が、モニター２０の入力元をセットトップボックス１０に切り替えるための信号（入力切替制御信号）であるか否かを判定する。入力切替制御信号とは、モニター２０における入力元が予め定められた順序で切り替えられる場合において、当該モニター２０における現在の入力元を次の入力元に切り替えるための信号である。また、操作信号には、対応する操作を示す情報が含まれている。映像音声送信制御部１５８は、操作を示す情報に基づいて、操作信号が入力切替制御信号であるか否かを判定できる。
【００４９】
リモコン受光部１１１からの操作信号が入力切替制御信号である場合、映像音声送信制御部１５８は、発光制御部１５２に対して、赤外線発光部１１２に向けて、入力切替制御信号を出力するように指示する。
【００５０】
また、映像音声送信制御部１５８は、発光制御部１５２に対する指示とともに、ＲＡＭ１１７に予め記憶されている、所定のパターンの映像データと、所定のパターンの音声データとを読み出し、ＤＡＣ１１８へ出力する。ここで、所定のパターンの音声データは、可聴範囲外の音声に対応する音声データである。
【００５１】
発光制御部１５２は、動作制御部１５４の指示に応じて、入力切替制御信号を赤外線発光部１１２に向けて出力する。
【００５２】
赤外線発光部１１２は、入力切替制御信号が入力されると、入力切替制御信号を赤外線により送出する。モニター２０は、入力切替制御信号を受けると、当該モニター２０における現在の入力元を次の入力元に切り替える制御を行う。
【００５３】
ＤＡＣ１１８は、入力される、デジタルデータである所定のパターンの映像データをアナログの映像信号（パターン映像信号）に変換する。また、ＤＡＣ１１８は、入力される、デジタルデータである所定のパターンの音声データをアナログの音声信号（パターン音声信号）に変換する。ＤＡＣ１１８は、パターン映像信号を、映像信号線２０２を介してモニター２０へ送信する。また、ＤＡＣ１１８は、パターン音声信号を、音声信号線２０４を介してモニター２０へ送信する。
【００５４】
モニター２０は、パターン映像信号及びパターン音声信号を受信する。更に、モニター２０は、現在の入力元がセットトップボックス１０である場合、パターン映像信号に基づく映像を表示部２２に表示させるとともに、パターン音声信号に基づく音声をスピーカ２４に出力させる制御を行う。
【００５５】
カメラ・マイク１２２は、表示部２２に表示された映像を撮影して、対応する映像データをＲＡＭ１２４に記憶させる。また、カメラ・マイク１２２は、スピーカ２４から出力される音声を検出し、対応する音声データをＲＡＭ１２４に記憶させる。
【００５６】
制御部１０２内の制御信号発生制御部１６０は、ＲＡＭ１２４に記憶された映像データ及び音声データを読み出す。
【００５７】
更に、制御信号発生制御部１６０は、読み出した映像データと、ＲＡＭ１１７に記憶された所定パターンの映像データとが近似しているか否かを判定する。例えば、制御信号発生制御部１６０は、読み出した映像データのうち、所定パターンの映像データに基づく映像が含まれるとみなされる範囲に対応する映像データを構成する画素の値を取得する。制御信号発生制御部１６０は、取得した画素の値と、所定パターンの映像データを構成する画素の値とを、同一の画素位置毎に対比させる。次に、制御信号発生制御部１６０は、対比させた２つの画素の値の差が所定値以下である画素を特定する。更に、制御信号発生制御部１６０は、特定した画素の数が、全体の画素の数に占める割合が所定割合以上（例えば７０％以上）である場合には、読み出した映像データとＲＡＭ１１７に記憶された所定パターンの映像データとが近似していると判定する。
【００５８】
また、制御信号発生制御部１６０は、読み出した音声データと、ＲＡＭ１１７に記憶された所定パターンの音声データとが近似しているか否かを判定する。例えば、制御信号発生制御部１６０は、読み出した音声データによって示される音声周波数及び音量と、所定パターンの音声データによって示される音声周波数及び音量とを対比する。更に、制御信号発生制御部１６０は、読み出した音声データに、所定パターンの音声データによって示される音声周波数及び音量に近似する（例えば、音声周波数の差が５％であり、音量の差が１０％）ものが含まれる場合には、読み出した音声データとＲＡＭ１１７に記憶された所定パターンの音声データとが近似していると判定する。
【００５９】
読み出した映像データと、ＲＡＭ１１７に記憶された所定パターンの映像データとが近似している場合、又は、読み出した映像データと、ＲＡＭ１１７に記憶された所定パターンの映像データとが近似している場合の少なくとも一方を満たす場合には、制御信号発生制御部１６０は、モニター２０の現在の入力元がセットトップボックス１０であると判断する。
【００６０】
一方、読み出した映像データと、ＲＡＭ１１７に記憶された所定パターンの映像データとが近似しておらず、且つ、読み出した映像データと、ＲＡＭ１１７に記憶された所定パターンの映像データとが近似していない場合には、制御信号発生制御部１６０は、モニター２０の現在の入力元がセットトップボックス１０でないと判断する。この場合、制御信号発生制御部１６０は、発光制御部１５２に対して、赤外線発光部１１２に向けて、入力切替制御信号を出力するように指示する。更に、制御信号発生制御部１６０は、ＲＡＭ１１７に予め記憶されている、所定のパターンの映像データと、所定のパターンの音声データとを読み出し、ＤＡＣ１１８へ出力する。
【００６１】
その後は、上述と同様、発光制御部１５２は、動作制御部１５４の指示に応じて、入力切替制御信号を赤外線発光部１１２に向けて出力する。赤外線発光部１１２は、入力切替制御信号が入力されると、入力切替制御信号を赤外線により送出する。ＤＡＣ１１８は、所定のパターンの映像データをパターン映像信号に変換し、所定のパターンの音声データをパターン音声信号に変換する。更に、ＤＡＣ１１８は、パターン映像信号を、映像信号線２０２を介してモニター２０へ送信するとともに、パターン音声信号を、音声信号線２０４を介してモニター２０へ送信する。
【００６２】
このような処理が、制御信号発生制御部１６０が、モニター２０の現在の入力元がセットトップボックス１０であると判断するまで繰り返される。
【００６３】
（２）セットトップボックスの動作
図２は、セットトップボックス１０の第１の動作を示すフローチャートである。また、図３は、セットトップボックス１０の第２の動作を示すフローチャートである。
【００６４】
図２のステップＳ１０１において、リモコン受光部１１１は、リモートコントローラからの操作信号を受信する。
【００６５】
ステップＳ１０２において、制御部１０２は、受信された操作信号が電源制御信号であるか否かを判定する。操作信号が電源制御信号でない場合には、一連の動作が終了する。
【００６６】
一方、操作信号が電源制御信号である場合、ステップＳ１０３において、制御部１０２は、セットトップボックス１０の電源がオンであるか否かを判定する。
【００６７】
セットトップボックス１０の電源がオフである場合、ステップＳ１０４において、電力検出部１１４は、モニター２０における消費電力を検出する。ステップＳ１０５において、制御部１０２は、モニター２０における消費電力に基づいて、当該モニター２０の電源がオンであるか否かを判定する。
【００６８】
モニター２０の電源がオフである場合、ステップＳ１０６において、制御部１０２は、セットトップボックス１０の電源をオンにする制御を行う。ステップＳ１０７において、赤外線発光部１１２は、電源制御信号を赤外線により送出する。
【００６９】
一方、ステップＳ１０５において、モニター２０の電源がオンであると判定された場合、ステップＳ１０８において、制御部１０２は、セットトップボックス１０の電源をオンにする制御を行う。
【００７０】
また、ステップＳ１０３においてセットトップボックス１０の電源がオンであると判定された場合、図３に示す動作に移行し、ステップＳ１１１において、電力検出部１１４は、モニター２０における消費電力を検出する。ステップＳ１１２において、制御部１０２は、モニター２０における消費電力に基づいて、当該モニター２０の電源がオフであるか否かを判定する。
【００７１】
モニター２０の電源がオンである場合、ステップＳ１１３において、制御部１０２は、セットトップボックス１０の電源をオフにする制御を行う。ステップＳ１１４において、赤外線発光部１１２は、電源制御信号を赤外線により送出する。
【００７２】
一方、ステップＳ１１２において、モニター２０の電源がオフであると判定された場合、ステップＳ１１５において、制御部１０２は、セットトップボックス１０の電源をオフにする制御を行う。
【００７３】
図４は、セットトップボックス１０の第３の動作を示すフローチャートである。
【００７４】
図４のステップＳ２０１において、リモコン受光部１１１は、リモートコントローラからの操作信号を受信する。
【００７５】
ステップＳ２０２において、制御部１０２は、受信された操作信号が入力切替制御信号であるか否かを判定する。操作信号が入力切替制御信号でない場合には、一連の動作が終了する。
【００７６】
一方、操作信号が入力切替制御信号である場合、ステップＳ２０３において、赤外線発光部１１２は、入力切替制御信号を赤外線により送出する。
【００７７】
ステップＳ２０４において、ＤＡＣ１１８は、モニター２０へパターン映像信号とパターン音声信号とを送信する。
【００７８】
ステップＳ２０５において、カメラ・マイク１２２は、モニター２０の表示部２２に表示された映像を撮影するとともに、モニター２０のスピーカ２４から出力される音声を検出する。
【００７９】
ステップＳ２０６において、制御部１０２は、取得した映像がパターン映像に近似すること、又は、検出した音声がパターン音声に近似することの少なくとも何れかを満たすか否かを判定する。
【００８０】
制御部１０２は、取得した映像がパターン映像に近似すること、又は、検出した音声がパターン音声に近似することの少なくとも何れかを満たす場合には、一連の動作が終了する。一方、取得した映像がパターン映像に近似せず、且つ、検出した音声がパターン音声に近似しない場合には、ステップＳ２０３における、入力切替制御信号の赤外線による送出以降の動作が繰り返される。
【００８１】
（３）作用・効果
上述したように、本実施形態のセットトップボックス１０は、リモートコントローラからの操作信号が電源制御信号である場合、当該セットトップボックス１０の電源の状態と、検出したモニター２０の電源の状態とに基づいて、モニター２０の電源の制御を行う。
【００８２】
具体的には、セットトップボックス１０は、電源制御信号に応じて自身がオンとなるべき場合であって、モニター２０がオフである場合には、当該モニター２０へ電源制御信号を送信してオンにさせる。また、セットトップボックス１０は、電源制御信号に応じて自身がオフとなるべき場合であって、モニター２０がオンである場合には、当該モニター２０へ電源制御信号を送信してオフにさせる。従って、セットトップボックス１０の電源の状態とモニター２０の電源の状態とを連動させることができ、モニター２０の電源に関する操作が容易になる。
【００８３】
また、セットトップボックス１０は、モニター２０の消費電力を検出し、当該消費電力に基づいて、モニター２０の電源状態を判定している。モニター２０の消費電力は、当該モニター２０がオンの場合とオフの場合とで顕著に相違するため、モニター２０の消費電力に基づいて、モニター２０の電源状態を判定することで、当該判定を適切に行うことができる。
【００８４】
また、本実施形態のセットトップボックス１０は、モニター２０に対して、所定パターンの映像及び音声の信号を送信し、モニター２０の再生状態が、これら所定パターンの映像及び音声の信号に応じた映像及び音声の再生状態になるまで、モニター２０における現在の入力元を次の入力元に切り替えるための入力切替制御信号を発生させる制御を行う。
【００８５】
従って、利用者が、モニター２０における現在の入力元をセットトップボックス１０に切り替えることを意図する場合に、モニター２０における所定パターンの映像及び音声の信号に応じた再生状態を考慮して、モニター２０における入力切替が、利用者の意図と一致するまで、入力切替制御信号をモニター２０へ送信して、当該も似た２０における入力切替が利用者の意図と一致するように制御を行うことができる。
【００８６】
（４）その他の実施形態
本発明は実施形態によって記載したが、この開示の一部をなす論述及び図面はこの発明を限定するものであると理解すべきではない。この開示から当業者には様々な代替実施形態、実施例及び運用技術が明らかとなる。
【００８７】
上述した実施形態では、セットトップボックス１０が、リモートコントローラからの操作信号が電源制御信号であるか否か、あるいは、入力切替制御信号であるか否かを判定したが、セットトップボックス１０が操作ボタンを内蔵する場合に、当該操作ボタンの操作に応じた信号が電源制御信号であるか否か、あるいは、入力切替制御信号であるか否かを判定してもよい。
【００８８】
また、上述した実施形態では、セットトップボックス１０は、パターン映像信号とパターン音声信号の双方をモニター２０へ送信し、当該モニター２０における映像や音声を検出したが、パターン映像信号のみを送信して、当該モニター２０における映像を検出したり、パターン音声信号のみを送信して、当該モニター２０における音声を検出してもよい。
【００８９】
また、上述した実施形態では、ＤＡＣ１１８は、デジタルデータである所定のパターンの映像データをアナログのパターン映像信号に変換し、デジタルデータである所定のパターンの音声データをアナログのパターン音声信号に変換した上で、これらパターン映像信号及びパターン音声信号をモニター２０へ送信した。しかし、モニター２０が、映像や音声のデジタルデータの再生を行うことが可能な機器である場合には、ＤＡＣ１１８は不要である。この場合、制御部１０２内の映像音声送信制御部１５８は、ＲＡＭ１１７に記憶されている、所定のパターンの映像データと、所定のパターンの音声データとを読み出し、そのままモニター２０へ送信する。
【００９０】
また、上述した実施形態では、再生制御装置としてのセットトップボックス１０について説明したが、モニター２０に映像を再生させるための処理を行う装置であれば、同様に本発明を適用できる。
【００９１】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００９２】
１０…セットトップボックス、２０…モニター、２２…表示部、２４…モニター、１０２…制御部、１０３…コンセント、１０４…電源モジュール、１０６…メモリ、１０８…アンテナ、１１０…チューナ、１１１…リモコン受光部、１１２…赤外線発光部、１１４…電力検出部、１１５…メモリ１１５…表示部、１１７…ＲＡＭ、１１８…ＤＡＣ、１２２…カメラ・マイク、１２４…ＲＡＭ、１５２…発光制御部、１５４…動作制御部、１５６…閾値設定部、１５８…映像音声送信制御部、１６０…制御信号発生制御部、２００…電源ライン、２０２…映像信号線、２０４…音声信号線
【図１】
2011250269.tif 000003
【図２】
2011250269.tif 000004
【図３】
2011250269.tif 000005
【図４】
2011250269.tif 000006